(57)【要約】      （修正有）【課題】複数のレースの一着を的中する重勝式投票券を発券するとともに、この重勝式投票券の購入に際し、関連した通常投票券も同じ重勝式投票カードで購入可能とすること。【解決手段】重勝式投票カードにおいて、重勝式投票カードであることを示す識別マークが記入される識別マークエリアＥと、重勝式投票カードと同じ投票カードで購入可能な投票券の種類を示す式別指定エリアＢと、重勝式投票について、選択するレース番号と、馬番、枠番、着順等を指定する番号指定エリアと、重勝式投票券を購入する金額が指定される金額指定エリアを有する重勝指定エリアＣと、重勝式投票券と同時に購入できる式別投票を選択したことを示す個別レースエリアＤを具備する。【選択図】図１
2006172162.tif 000002
【特許請求の範囲】
【請求項１】
複数のレースの一着を選択する重勝式投票カードを読取り、読取りデータを制御部に出力するカード読取部と、
制御部の指示により投票券を出力する投票券発券部と、
現金をチェックし、その真偽と金額を識別する現金制御部と、
ホストにデータを送出したりホストからデータを受信する通信部と、
カード読取部から送出された読取りデータにより重勝式投票カードに記入もれの有無をチェックしたり、釣銭の有無を判断したり、ホストからの指示により投票券発券部に発券指示を行う制御部を具備したことを特徴とする重勝式投票券発売端末装置。
【請求項２】
前記請求項１の重勝式投票カードは、
重勝式投票カードであることを示す識別マークが記入される識別マークエリアと、
重勝式投票カードと同じ投票カードで購入可能な投票券の種類を示す式別指定エリアと、
重勝式投票について、選択するレース番号と、馬番、枠番、着順等を指定する番号指定エリアと、重勝式投票券を購入する金額が指定される金額指定エリアを有する重勝指定エリアと、
重勝式投票券と同時に購入できる式別投票を選択したことを示す個別レースエリアを具備したことを特徴とする重勝式投票券発売端末装置。
【請求項３】
重勝式投票カードを読込む重勝式投票券発売端末装置と、この重勝式投票券発売端末装置の読込んだ重勝式投票カードのデータを受信するホスト装置を備えた重勝式投票システムにおいて、
前記ホスト装置にプロセッサを設け、このプロセッサに、
前記重勝式投票カードに式別指定エリアが正しく記入されているか否か、重勝指定エリアが正しく記入されているか否か、個別レースエリアが正しく記入されているか否かをそれぞれ判定するとともに、重勝指定エリアと個別レースエリアがそれぞれ正しく記入されているとき重勝式投票券の購入と通常投票券の購入と認識し、また重勝指定エリアが正しく記入されているが個別レースエリアが正しく記入されていないとき重勝式投票券のみの購入と判断する制御部を設けたことを特徴とする重勝式投票システム。
【請求項４】
重勝式投票カードであることを示す識別マークが記入される識別マークエリアと、
重勝式投票カードと同じ投票カードで購入可能な投票券の種類を示す式別指定エリアと、
重勝式投票について、選択するレース番号と、馬番、枠番、着順等を指定する番号指定エリアと、重勝式投票券を購入する金額が指定される金額指定エリアを有する重勝指定エリアと、
重勝式投票券と同時に購入できる式別投票を選択したことを示す個別レースエリアを具備したことを特徴とする重勝式投票カード。
【発明の詳細な説明】
【技術分野】
【０００１】
本発明は、選択した複数のレースの一着を的中する重勝式投票システムに関するものである。
【背景技術】
【０００２】
例えば競馬における勝馬投票券については、単勝、複勝、枠連、馬連、馬単、ワイド、３連複、３連単等の式別がある。単勝とは一着の馬を的中するものであり、複勝とは選択した馬が１着〜３着になったとき的中とするものであり、枠連とは１着及び２着の馬の枠番または２着及び１着の馬の枠番を的中するものである。また馬連は１着及び２着または２着及び１着の馬の馬番を的中するものであり、馬単は１着及び２着の馬の馬番を的中するものである。そしてワイドは選択した２頭の馬が１着、２着、３着のいずれであるか的中するものであり、３連複は選択した３頭の馬が１着、２着、３着のいずれかであることを的中するものであり、３連単は１着、２着、３着の馬の着順を的中するものである。
【発明の開示】
【発明が解決しようとする課題】
【０００３】
上記の如き式別では的中倍率が低率の場合が多く、フアンを強く引きつけるために、もう少し払戻し倍率の高くなる新しい賭式の投票券の出現が希望されていた。しかも投票券としては新しい賭式ではあるが、新しい賭式に関連する従来の式別の投票券も同時に購入できる投票カードの提供が要求されている。
【課題を解決するための手段】
【０００４】
上記課題を解決するため、本発明では、重勝式投票券発売端末装置であって、複数のレースの一着を選択する重勝式投票カードを読取り、読取りデータを制御部に出力するカード読取部と、制御部の指示により投票券を出力する投票券発券部と、現金をチェックし、その真偽と金額を識別する現金制御部と、ホストにデータを送出したりホストからデータを受信する通信部と、カード読取部から送出された読取りデータにより重勝式投票カードに記入もれの有無をチェックしたり、釣銭の有無を判断したり、ホストからの指示により投票券発券部に発券指示を行う制御部を具備したことを特徴とする。
【発明の効果】
【０００５】
本発明によれば下記の如き効果が得られる。
【０００６】
１．本発明により、複数のレースの一着を選択する新しい賭式を提供することができ、現状の賭式では物足りないフアンの意欲を向上させ、新たなるフアンの獲得が期待できる。
【０００７】
２．一枚の投票カードで重勝式投票券の購入と通常投票券の購入が可能となるので、一回の投票で投票パターンが増えることと、投票カード数を節約できるので、投票時間の短縮が期待できる。
【発明を実施するための最良の形態】
【０００８】
本発明の実施の形態を図１、図２、図３にもとづき説明する。図１は本発明に係る重勝式投票カード及び重勝式投票券説明図、図２は本発明に係る重勝式投票券システムの説明図、図３は本発明に係る重勝式投票券システムの動作説明図である。
【０００９】
図中、１は重勝式投票カード、２は重勝式投票券、１１は重勝式投票券発売端末装置（以下端末装置という）、１２はホスト装置、１２−１はプロセッサ、１２−２はメモリ、１３は投票カードで重勝式投票カード１と従来の投票カードを含むもの、２１はカード読取部、２２は投票券発券部、２３は通信部、２４は現金制御部、２５は紙幣・硬貨ユニット、２６は制御部、２７は操作卓である。
【００１０】
重勝式投票カード１は、重勝式投票券２をフアンが購入するために使用するものである。ここで重勝式投票券とは、複数の特定のレースの一着の馬の馬番を選択するものであり、図１（Ｂ）に示す如き内容が印刷されている。すなわち、レースを特定するため、年、回、日、と場名（例えば東京とか中山）、選択したレース番号（１レース、２レース、３レースの各一着を的中させる場合はレース名１Ｒ、２Ｒ、３Ｒ）、金額（購入金額、例えば１０００円）等が記入されている。
【００１１】
本発明に係る重勝式投票カード１では、重勝式のみの投票券の購入のみならず通常式の投票券（例えば単勝とか、馬連等）の購入も選択できるように、フアンの記入する事項が表示されている。
【００１２】
すなわち、本発明に係る重勝式投票カード１は、１図（Ａ）に示す如く、レースの開催される場名（例えば中山、東京、京都等）を選択記入する場名指定エリアＡ、重勝式以外の通常投票の式別の投票券を購入するときに必要な投票の式別（例えば単勝、複勝、枠連等の通常投票）を選択する式別指定エリアＢ、重勝式投票券の選択対象となるレース番号を記入するレース番号エリアＣ−０と重勝式投票券の購入金額を記入する金額エリアＣ−２の外に１着の馬を選択する番号を記入するエリアと、後述する通常投票の式別の投票券を購入するために必要な番号指定エリアＣ−１を記入する番号指定エリアＣ−１を有する重勝指定エリアＣと、重勝式と同じ馬番（枠番）の通常式別の投票券を購入するために必要な金額を記入する個別レースエリアＤと、重勝式投票カードであることを示す例えば１２ビットの識別コードの記入された識別マークエリアＥを有する。
【００１３】
重勝指定エリアＣは、前記の如く、レース番号エリアＣ−０、番号指定エリアＣ−１、金額指定エリアＣ−２等により構成される。
【００１４】
レース番号エリアＣ−０はレース数Ａ、Ｂ、Ｃと重勝式投票券の選択対象となるレース番号を記入するレース番号１〜１２と、重勝式投票券の各レースの選択対象となる１着の馬番を記入するエリアの外に、この重勝式投票券と同時に、前記１着（１頭目）の馬と関連する通常式別の投票券を購入するために、２着（２頭目）、３着（３頭目）の番号を記入する番号指定エリアＣ−１が設けられている。
【００１５】
例えば重勝式投票券として１レース１番、２レース２番、３レース３番を選択するとき、レース番号エリアＣ−０にそれぞれＡのレース番号に「１」を、Ｂのレース番号に「２」を、Ｃのレース番号に３を選択する。そして番号指定エリアＣ−１の１着・１頭目のエリアにＡの部分に「１」を、Ｂの部分に「２」を、Ｃの部分に「３」を選択する。そして重勝式投票券の購入金額を金額指定エリアに記入する。
【００１６】
このとき、同時に、３連単として１レースでは「１−２−３」を、２レースでは「２−３−４」を、３レースでは「３−４−５」を選択して投票券を購入するとき、番号指定エリアＣ−１に上記の如く記入し（１着は重勝用で記入ずみのため、２着、３着のエリアを記入）、式別指定エリアＢより３連単を選択し、この３連単用の購入金額を個別レースエリアＤに記入し、また個別レースチェックマークＤ−０に選択マークを記入すればよい。他の通常式別でも、重勝式の１着に関連した番号のものについては同様にして同時に購入できる。
【００１７】
なお前記説明は、３重勝の場合であるが、勿論２重勝式でも、他の数の重勝式でも同様に適応できる。
【００１８】
重勝式投票券２は、複数のレース（３重勝の場合はＡ，Ｂ，Ｃ）の１着が的中したとき的中投票券となるものであって、図１（Ｂ）に示す如く、選択した複数のレースを特定する情報、例えば場名、開催日、選択したレース番号、選択した馬番、購入金額等が印刷されている。
【００１９】
端末装置１１は、フアンが記入した投票カード１３（図１に示す重勝式投票カード１でも、重勝式でない従来の投票カードでもよい）にもとづき投票カードを発行したり、的中投票券が挿入された場合払戻処理を行うものであり、カード読取部２１、投票券発券部２２、通信部２３、現金制御部２４、紙幣・硬貨ユニット２５、制御部２６等がある。
【００２０】
ホスト装置１２は、端末装置１１からフアンが申込みした投票カード１３、投票券に関する処理を行うものであって、投票カード１３の場合は、その投票カードに記入された内容が正常か否かを判断し、正常の場合は端末装置１１に対し発券許可信号を出力して投票券を発券制御したり、オッズの計算を行う等の制御処理を行う。正常でない場合は発券不許可信号を出力してその理由を端末装置１１の操作卓２７の表示部に表示させ、修正可能ならフアンに修正を求める等の制御処理を行う。挿入されたものが投票券であればその投票券が的中券か否か判断し、それに対応する制御処理を行う。ホスト装置１２はプロセッサ１２−１と、これを制御するプログラムを保持するメモリ１２−２を具備している。
【００２１】
カード読取部２１は、フアンが挿入した投票カード１３や投票券を読み取り、その識別を行うためこれを制御部２６に送出するものであり、例えば光学式マーク読取部（ＯＭＲ）を有する。
【００２２】
投票券発券部２２は、フアンが投票カードを挿入したとき、ホスト装置１２からの信号に応じて投票券を発券するものである。
【００２３】
通信部２３は、端末装置１１からホスト装置１２に対する信号を送信したり、ホスト装置１２から端末装置１１に送出された信号を受信するものである。
【００２４】
現金制御部２４は、フアンから受取った紙幣や硬貨の識別を行ったり、投票券の購入に関するつり銭を出したり、的中投票券に対してはホスト装置１２からの指示にもとづき配当金の払い出し処理を行うものであり、紙幣や硬貨を保管管理する紙幣・硬貨ユニット２５を制御するものである。
【００２５】
紙幣・硬貨ユニット２５は紙幣と硬貨を保管したり、入金したり、支出するものである。
【００２６】
制御部２６は、投票カード１３に対する発券処理や投票券２に対する支払い処理などの制御処理を行うものであり、例えばプロセッサで構成されている。
【００２７】
操作卓２７はキーボードと表示部を有し、投票カードの記入事項の修正を行ったり、修正可能項目の存在とその修正を求める表示等を行うものである。
【００２８】
次に本発明の動作について、図３に示すフローチャートにもとづき説明する。なお、本発明は重勝式投票に対して特徴があるので、重勝式投票カードに関することについて説明する。
【００２９】
Ｓ１．先ずフアンが端末装置１１の現金制御部２４に対し現金を投入する。この現金の投入が行われたことを現金制御部２４が認識してこれを制御部２６に通知する。これに応じて制御部２６はカード読取部２１に対し、投票カードの投入ができるように、カード読取部２１を開口する。
【００３０】
Ｓ２．フアンはこれにより重勝式投票カード１をカード読取部２１に投入する。
【００３１】
Ｓ３．カード読取部２１は、投票カードを読取り、これを制御部２６に送る。制御部２６は、この投票カードに記入もれがあるかないか判断する。例えば識別マークエリアＥに何も記入されていなければ、重勝式投票カードか、通常投票式の投票カードか、ボックスあるいは流しか判断できないので、前記Ｓ２にもどる。
【００３２】
Ｓ４．前記Ｓ３において記入もれがなければ制御部２６はカード読取部２１が読取ったデータを送信電文を作成して通信部２３を経由してホスト装置１２に送信する。
【００３３】
Ｓ５．ホスト装置１２ではこれを受信して、図１（Ａ）に示す場名指定エリアＡが正しく記入されているか判定する。記入されていなければホスト装置１２は端末装置１１にこれを通知し、前記Ｓ２に戻る。
【００３４】
Ｓ６．前記Ｓ５において場名指定エリアＡが正しく記入されていれば、ホスト装置１２は式別指定エリアＢが正しく記入されているか判定する。記入されていなければ前記Ｓ２に戻る。
【００３５】
Ｓ７．前記Ｓ６において式別指定エリアＢが正しく記入されていれば、ホスト装置は重勝指定エリアＣが正しく記入されているか判定する。記入されていなければ前記Ｓ２に戻る。
【００３６】
Ｓ８．前記Ｓ７において重勝指定エリアＣが正しく記入されていれば、ホスト装置は個別レースエリアＤが正しく記入されているか判定する。
【００３７】
Ｓ９．前記Ｓ８において個別レースエリアＤが正しく記入されていれば、重勝式投票と通常式投票の両方の投票であることを認識する。
【００３８】
Ｓ１０．この認識結果をホスト装置１２は端末装置１１に返信する。
【００３９】
Ｓ１１．前記Ｓ８において、個別レースエリアＤが正しく記入されていなければ、重勝式投票のみと認識し、端末装置１１に返信する。
【００４０】
Ｓ１２．端末装置１１は前記返信を受信したとき、投票券発券部２２に対しそれぞれの投票券の購入金額を計算させる。そして前記Ｓ１における投入金額と購入金額とを比較させ、おつりがあるか判定する。
【００４１】
Ｓ１３．制御部２６は、おつりがあれば現金制御部２４に対しおつりを出すよう制御しまた投票券発券部２２に対して投票券を発券するよう制御し、おつりと発券が行われる。      
【００４２】
Ｓ１４．制御部２６はおつりがなければ投票券発券部２２に対して投票券を発券するよう制御し、発券が行われる。重勝式投票券の外に通常式投票券の購入を行う場合は重勝式投票券と通常式投票券が同時に発券される。
【００４３】
前記説明において、ホスト装置１２における各判定および認識は、メモリ１２−２に保持されたプログラムにもとづきプロセッサ１２−１が判定・認識するものである。
【００４４】
なお前記説明は競馬における重勝の場合について行ったが、本発明はこれに限定されるものではなく、２重勝でも他の重勝数でも適用できる。また競馬に限定されるものではなく、競輪でも競艇でも他の投票ゲームでも適用できる。
【図面の簡単な説明】
【００４５】
【図１】本発明の重勝式投票カード及び重勝式投票券説明図である。
【図２】本発明の重勝式投票券システムである。
【図３】本発明の重勝式投票券システムの動作説明図である。
【符号の説明】
【００４６】
１  重勝式投票カード
２  重勝式投票券
１１  重勝式投票券発売端末装置（端末装置）
１２  ホスト装置
２１  カード読取部
２２  投票券発券部
２３  通信部
２４  現金制御部
２５  紙幣・硬貨ユニット
２６  制御部
２７  操作卓
【図１】
2006172162.tif 000003
【図２】
2006172162.tif 000004
【図３】
2006172162.tif 000005